【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体と、前記蓋体に設けられた装着部にスライド機構を介して所定方向にスライド移動自在に装着された移動部材と、を備え、前記装着部の一端部には、前記注射針の前記針保持部材の片側を保持するための第１保持部が設けられているとともに、前記第１保持部に関連して落下開口が設けられ、また前記移動部材には、前記注射針の前記針保持部材の他側を保持するための第２保持部が設けられており、
前記移動部材を前記所定方向に保持位置まで移動させると、前記移動部材が前記第１保持部に近接する方向に移動し、前記蓋体側の前記第１保持部と前記移動部材側の前記第２保持部とは、相互に協働して前記注射針を保持するための注射針保持部を構成し、前記移動部材が前記第１保持部から離れる方向に移動させると、前記注射針保持部が開放されて前記装着部の前記落下開口を通しての前記注射針の落下が許容されるように構成されており、
更に、前記蓋体側の前記第１保持部の開口端は、前記保持位置状態の前記注射針保持部の中心を通り且つ前記移動部材のスライド移動方向に対して実質上垂直な基準中心軸線に対して、前記第１保持部側にずれて位置していることを特徴とする注射針廃棄用容器。
【請求項２】
前記蓋体側の前記第１保持部の前記開口端の前記基準中心軸線からのずれ量Ｄは、前記注射針の前記針保持部材の外径をｄとしたときに（０．１〜０．４）ｄである（０．１ｄ≦Ｄ≦０．４ｄ）ことを特徴とする請求項１に記載の注射針廃棄用容器。
【請求項３】
前記移動部材側の前記第２保持部の内周面には前記注射針と係合する保持領域と前記注射針と係合しない非保持領域が設けられていることを特徴とする請求項２に記載の注射針廃棄用容器。
【請求項４】
前記非保持領域は前記移動部材側の前記第２保持部における前記基準中心軸線から前記第１保持部側に突出する開口端部に設けられていることを特徴とする請求項３に記載の注射針廃棄用容器。
【請求項５】
前記保持領域は前記注射針と係合する係合突部であり、前記係合突部は、前記注射針の外周面に形成された縦リブと係合する高さを備え、且つ、前記移動部材のスライド時に前記注射針の外周面の前記縦リブに対してスライド方向の力が加わらないように形状付けられている請求項４に記載の注射針廃棄用容器。
【請求項６】
注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体が、前記注射針の前記針保持部材の片側を保持する第１保持部と、前記第１保持部から離れる方向にスライド移動自在に設けられて、前記注射針の前記針保持部材の他側を保持するとともに、前記第１保持部から離れる方向にスライド移動させることにより、前記第１保持部との間に針落下開口を形成する第２保持部とを有し、
前記第２保持部を保持位置まで移動させると、前記第２保持部が前記第１保持部に近接する方向に移動し、前記第１保持部と前記第２保持部とは、相互に協働して前記注射針を保持するための注射針保持部を構成し、前記第２保持部が前記第１保持部から離れる方向に移動させると、前記注射針保持部が開放されて前記落下開口を通しての前記注射針の落下が許容されるように構成されており、
更に、前記第２保持部及び前記第１保持部は、前記注射針と係合する保持領域を有するとともに、
前記第２保持部及び／又は前記第１保持部は、前記注射針と係合しない非保持領域を有することを特徴とする注射針廃棄用容器。
【請求項７】
前記保持領域は前記注射針と係合する係合突部であり、前記係合突部は、前記注射針の外周面に形成された縦リブと係合する高さを備え、且つ、前記第２保持部のスライド時に前記注射針の外周面の前記縦リブに対してスライド方向の力が加わらないように形状付けられていることを特徴とする請求項６に記載の注射針廃棄用容器。
【請求項８】
注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体が、前記注射針の前記針保持部材の片側を保持する第１保持部と、前記第１保持部から離れる方向にスライド移動自在に設けられて、前記注射針の前記針保持部材の他側を保持するとともに、前記第１保持部から離れる方向にスライド移動させることにより、前記第１保持部との間に針落下開口を形成する第２保持部とを有し、
前記第２保持部を保持位置まで移動させると、前記第２保持部が前記第１保持部に近接する方向に移動し、前記第１保持部と前記第２保持部とは、相互に協働して前記注射針を保持するための注射針保持部を構成し、前記第２保持部が前記第１保持部から離れる方向に移動させると、前記注射針保持部が開放されて前記落下開口を通しての前記注射針の落下が許容されるように構成されており、
更に、前記第１保持部の開口端は、前記保持位置状態の前記注射針保持部の中心を通り且つ前記第２保持部のスライド移動方向に対して実質上垂直な基準中心軸線に対して、前記第１保持部側にずれて位置していることを特徴とする注射針廃棄用容器。
【手続補正２】
【補正対象書類名】明細書
【補正対象項目名】００１３
【補正方法】変更
【補正の内容】
【００１３】
また、本発明の請求項６に記載の注射針廃棄用容器は、注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体が、前記注射針の前記針保持部材の片側を保持する第１保持部と、前記第１保持部から離れる方向にスライド移動自在に設けられて、前記注射針の前記針保持部材の他側を保持するとともに、前記第１保持部から離れる方向にスライド移動させることにより、前記第１保持部との間に針落下開口を形成する第２保持部とを有し、
前記第２保持部を保持位置まで移動させると、前記第２保持部が前記第１保持部に近接する方向に移動し、前記第１保持部と前記第２保持部とは、相互に協働して前記注射針を保持するための注射針保持部を構成し、前記第２保持部が前記第１保持部から離れる方向に移動させると、前記注射針保持部が開放されて前記落下開口を通しての前記注射針の落下が許容されるように構成されており、
更に、前記第２保持部及び前記第１保持部は、前記注射針と係合する保持領域を有するとともに、
前記第２保持部及び／又は前記第１保持部は、前記注射針と係合しない非保持領域を有することを特徴とする。
また、本発明の請求項７に記載の注射針廃棄用容器では、前記保持領域は前記注射針と係合する係合突部であり、前記係合突部は、前記注射針の外周面に形成された縦リブと係合する高さを備え、且つ、前記第２保持部のスライド時に前記注射針の外周面の前記縦リブに対してスライド方向の力が加わらないように形状付けられていることを特徴とする。
更に、本発明の請求項８に記載の注射針廃棄用容器は、注射器本体の先端部に着脱自在に螺着される針保持部材及び前記針保持部材に保持された針本体を有する注射針を廃棄するための注射針廃棄用容器であって、
廃棄物を収容するための容器本体と、前記容器本体の開口部を覆う蓋体とを備え、
前記蓋体が、前記注射針の前記針保持部材の片側を保持する第１保持部と、前記第１保持部から離れる方向にスライド移動自在に設けられて、前記注射針の前記針保持部材の他側を保持するとともに、前記第１保持部から離れる方向にスライド移動させることにより、前記第１保持部との間に針落下開口を形成する第２保持部とを有し、
前記第２保持部を保持位置まで移動させると、前記第２保持部が前記第１保持部に近接する方向に移動し、前記第１保持部と前記第２保持部とは、相互に協働して前記注射針を保持するための注射針保持部を構成し、前記第２保持部が前記第１保持部から離れる方向に移動させると、前記注射針保持部が開放されて前記落下開口を通しての前記注射針の落下が許容されるように構成されており、
更に、前記第１保持部の開口端は、前記保持位置状態の前記注射針保持部の中心を通り且つ前記第２保持部のスライド移動方向に対して実質上垂直な基準中心軸線に対して、前記第１保持部側にずれて位置していることを特徴とする。
【手続補正３】
【補正対象書類名】明細書
【補正対象項目名】００２４
【補正方法】変更
【補正の内容】
【００２４】
この注射針廃棄用容器２では、移動部材４８を保持位置に位置付けると、移動部材４８の一端部が装着用凹部４６の一端部に接触乃至近接し、蓋体８側の第１保持部５４と移動部材４８側の第２保持部６４とは、相互に協働して円筒状の注射針保持部７２を構成し、複数の係合突部６０，７０は、かかる注射針保持部７２の内周面に間隔をおいて配置される係合突部を構成する（図３、図５、図８及び図１０参照）。また、第１保持部５４の第１保持凹部５６と第２保持部６４の第２保持凹部６６とは、相互に協働して注射器本体２８の小径突部３０の先端部を着脱自在に受け入れる保持凹部を構成する。
【手続補正４】
【補正対象書類名】明細書
【補正対象項目名】００２６
【補正方法】変更
【補正の内容】
【００２６】
この実施形態では、移動部材４８に関連して、この移動部材４８を保持位置にロック保持するためのロック機構７６が設けられている。このロック機構７６は、移動部材４８の下方において装着用凹部４６の中央部に傾動自在に設けられた傾動部材７８と、移動部材４８の下面に設けられたロック用突部８０とから構成されている。傾動部材７８の先端部には、ロック用爪部８２が上方に幾分突出して設けられ、このロック用爪部８２の先端部には第１テーパ部８６が形成されている。また、ロック用突部８０の先端部には、ロック用爪部８２の第１テーパ部８６に対応して第２テーパ部８４が形成されている。
【手続補正５】
【補正対象書類名】明細書
【補正対象項目名】００２８
【補正方法】変更
【補正の内容】
【００２８】
この傾動部材７８は、ロック用爪部８２がロック用突部８０に係合するロック位置（図１０において実線で示す）と、ロック用爪部８２がロック用突部８０から離脱するロック解除位置（図１０において一点鎖線で示す）との間を上下方向に傾動自在である。この傾動部材７８は、上記ロック位置と上記ロック解除位置との間を弾性変形可能であり、通常ロック位置に保持される。
【手続補正６】
【補正対象書類名】明細書
【補正対象項目名】００２９
【補正方法】変更
【補正の内容】
【００２９】
この実施形態では、装着用凹部４６に移動用開口９４が設けられ、この移動用開口９４は、ロック用突部８０の移動経路に沿って延びている。移動部材４８の他端部（第２保持部６４とは反対側の端部）には目隠し部９６が設けられ、この目隠し部９６は、下方にＬ字状に延びている。移動部材４８が上記保持位置に位置付けられた際に、この目隠し部９６は、装着用凹部４６の移動用開口９４の一部を下方より覆う。また、移動部材４８の下面において、操作用開口９０と移動部材４８側の第２保持部６４との間にはぬすみ部９８が設けられている。このぬすみ部９８は、移動部材４８が上記後退位置に位置付けられた際に、後退位置に移動した移動部材４８が傾動部材７８の上面に干渉するのを防止する（図１１参照）。
【手続補正７】
【補正対象書類名】明細書
【補正対象項目名】００３２
【補正方法】変更
【補正の内容】
【００３２】
第１保持部５４のずれ量Ｄが過小であると、移動部材４８を上記後退位置に移動させたときの第１保持部５４からの注射針２６の露出量が少なく、注射針２６の自重による離脱落下力が小さくなり、注射針２６の自重を利用した落下収容ができなくなるおそれがあり、またこのずれ量Ｄが過大であると、蓋体８側の第１保持部５４の複数の係合突部６０と注射針２６の針保持部材３６の複数の係合凹部４０との係合状態が充分でなくなり、後述する注射器本体２８の注射針２６からの離脱ができなくなるおそれがある。
【手続補正８】
【補正対象書類名】明細書
【補正対象項目名】００３５
【補正方法】変更
【補正の内容】
【００３５】
次いで、この状態において、使用済みの注射針２６の針保持部材３６を注射針保持部７２内に挿入する（図１０参照）。かく挿入すると、注射器本体２８の小径突部３０の先端部が注射針保持部７２の保持凹部（第１保持部５４の第１保持凹部５６及び第２保持部６４の第２保持凹部６６）に当接し、注射針２６が注射針保持部７２に保持される。この保持状態においては、第１及び第２保持部５４，６４の複数の係合突部６０，７０が針保持部材３６の外周面の複数の係合凹部４０に係合した状態に保持される。
【手続補正９】
【補正対象書類名】明細書
【補正対象項目名】００３６
【補正方法】変更
【補正の内容】
【００３６】
次に、注射針２６を容器本体４側の注射針保持部７２に挿入した状態で、注射器本体２８を注射針２６に対して図１０に矢印Ｒで示す離脱方向に回動する。かく回動すると、針保持部材３６の雌ねじ部（図示せず）と注射器本体２８の針取付部３２の雄ねじ部３４との螺合状態が解除され、注射器本体２８が注射針２６の針保持部材３６から取り外される。このとき、移動部材４８がロック機構７６によって上記保持位置にロック保持されているので、注射器本体２８を注射針２６に対して相対的に回転させる際に、この移動部材４８が上記後退位置にスライド移動することがない。
【手続補正１０】
【補正対象書類名】明細書
【補正対象項目名】００３８
【補正方法】変更
【補正の内容】
【００３８】
注射針２６を容器本体４内に回収した後には、次の回収準備として、移動部材４８を上記後退位置から上記保持位置にスライド移動させる。このとき、ロック用爪部８２の第１テーパ部８６がロック用突部８０の第２テーパ部８４上をスライド移動し、これによって、傾動部材７８が下方に傾動されてロック用爪部８２がロック用突部８０に係合し、このようにしてロック機構７６がロック状態となり、移動部材４８が上記保持位置にロック保持される。
【手続補正１１】
【補正対象書類名】明細書
【補正対象項目名】００４３
【補正方法】変更
【補正の内容】
【００４３】
第１及び第２底部領域Ｓ１，Ｓ２を規定する第１及び第２所定角度α１，α２が過小になると、針保持部材３６の係合凹部４０に係合する係合突部７０の個数が少なくなり、針保持部材３６側の複数の係合凹部４０と第２保持部６４Ａ側の係合突部７０との係合状態が充分でなくなるおそれがあり、また第１及び第２所定角度α１，α２が過大になると、第２保持部６４Ａの係合突部７０（特に、開口端部側に位置する係合突部７０）が針保持部材３６の係合凹部４０から離脱し難くなり、移動部材４８Ａを上記後退位置に向けて移動させた際に、この移動部材４８Ａとともに針保持部材３６が後退位置に向けて移動するおそれがある。
【手続補正１２】
【補正対象書類名】明細書
【補正対象項目名】００６０
【補正方法】変更
【補正の内容】
【００６０】
この変形形態では、移動部材の上記後退位置に向けての移動の際に注射針の縦リブにスライド方向の力が作用しないように、例えば、図１４に示すように構成される。即ち、第２保持部６４Ｂの非保持領域Ｋ１，Ｋ２の開口側部７４，７６は、開口端に向けて内径が漸増するように構成され、これによって第２保持部６４Ｂの開口側部７４，７６は、開口端側に向けて半円形状よりも幾分拡がるように形成されている。このように構成することによって、移動部材４８Ｂが上記後退位置に向けて移動する際に、この第２保持部６４Ｂの内周面が注射針２６の縦リブに作用することがなく、この縦リブに移動部材４８Ｂからの力が作用するのを回避することができる。
【手続補正１３】
【補正対象書類名】明細書
【補正対象項目名】００６１
【補正方法】変更
【補正の内容】
【００６１】
加えて、第２保持部６４Ｂに設けられた各係合突部７０Ｂは、その両側面８０，８２が先端（即ち、径方向内方）に向けて内側に傾斜し、各係合突部７０Ｂの横断面形状が台形状に形成されている。このように構成することによって、移動部材４８Ｂが上記後退位置に向けて移動する際に、第２保持部６４Ｂの複数の係合突部７０Ｂが注射針２６の縦リブに作用することがなく、係合突部７０Ｂを介した移動部材４８Ｂからの力が注射針２６の縦リブに作用するのを回避することができる。このため、移動部材４８Ｂを上記後退位置に向けて移動した際に、注射針２６の針保持部材３６が移動部材４８Ｂに持ってかれることがない。尚、各係合突部７０Ｂの側面８０，８２のこのような傾斜は、その両側面に設ける必要はなく、その片側（即ち、開口端部１０２Ａ，１０４Ａ側とは逆の側面８２）に設けることによって所望の効果を達成することができる。
【手続補正１４】
【補正対象書類名】図面
【補正対象項目名】図１０
【補正方法】変更
【補正の内容】
【図１０】
2016032557.tif 000001
【手続補正１５】
【補正対象書類名】図面
【補正対象項目名】図１１
【補正方法】変更
【補正の内容】
【図１１】
2016032557.tif 000002